(57)【要約】【課題】本発明は歯磨きコップを開示した。【解決手段】歯磨きコップ主体と押し溝を含み、前記押し溝が前記歯磨きコップ主体の中に位置しており、且つ右へ開口しており、前記押し溝の中には練り歯磨き押出機構が設置され、前記練り歯磨き押出機構は前記押し溝とスライドできるように連結される押しブロックを含み、前記押しブロックの左端面には左端が前記押し溝の左端壁と固定的に連結される押しばねが上下対称的に固定的に設置され、前記押しブロックの左端面の中心には押しロッドが固定的に設置され、この装置全体の構成が簡単で、歯磨きコップと歯ブラシと練り歯磨きとを結合し、使用が便利で、装置の中で水を入れる部分と歯ブラシと練り歯磨きとを仕切り、清潔であり、しかも歯磨きの機能という基本機能を備える上に、携帯しやすく、あまりスペースを取らなく、旅行や出張などの時に携帯することに適する。【選択図】図１
2020175097.tif 000002
【特許請求の範囲】
【請求項１】
歯磨きコップ主体と押し溝を含み、前記押し溝が前記歯磨きコップ主体の中に位置しており、且つ右へ開口しており、前記押し溝の中には練り歯磨き押出機構が設置され、前記練り歯磨き押出機構は前記押し溝とスライドできるように連結される押しブロックを含み、前記押しブロックの左端面には左端が前記押し溝の左端壁と固定的に連結される押しばねが上下対称的に固定的に設置され、前記押しブロックの左端面の中心には押しロッドが固定的に設置され、前記押しロッドの下端面には細ロッドが固定的に設置され、前記押しロッドの前端面には中心ロッドが固定的に設置され、前記中心ロッドには旋転ロッドが回転できるように設置され、前記旋転ロッドと前記中心ロッドとの間には旋転ばねが設置され、前記押し溝の上端壁には方形溝が設置され、前記方形溝の左端壁の中には練り歯磨き溝が設置され、前記方形溝の左端壁には二つの横向きばねが上下対称的に固定的に設置され、二つの前記横向きばねの右側には前記横向きばねと固定的に連結される一つの横向きブロックが設置され、前記横向きブロックの左端面の中心には左端が前記練り歯磨き溝の中に位置している横向きロッドが固定的に設置され、前記横向きロッドの左端には前記練り歯磨き溝とスライドできるように連結される押出ブロックが固定的に設置され、前記押し溝の下端壁には長溝が設置され、前記長溝の中には歯ブラシ機構が設置され、前記歯ブラシ機構は前記長溝の下端壁に位置している移動溝を含み、前記移動溝の中には移動ブロックがスライドできるように設置され、前記移動ブロックの左端には左端が前記移動溝の左端壁と固定的に連結される移動ばねが固定的に設置され、前記移動ブロックの上端面には上端が前記長溝の中に位置している移動ロッドが固定的に設置され、前記移動ロッドの上端には長ロッドが固定的に設置され、前記長ロッドの左端面にはラックが固定的に設置され、前記長溝の後端壁には伝動軸が回転できるように設置され、前記伝動軸には前記ラックの下端面と噛み合って伝動するギヤが固定的に設置され、前記ギヤの前側には前記伝動軸と固定的に連結されるカムが設置され、また、前記押しブロックを押し動かしたらまず前記横向きブロックが推し動かされ、そして前記長ロッドが推し動かされて左へ運動することができることを特徴とする歯磨きコップ。
【請求項２】
前記練り歯磨き押出機構はまた前記方形溝の上端壁の中に位置している貯蔵溝を含み、前記貯蔵溝の上端壁には右端壁が外部空間に連通している注入溝が設置され、前記注入溝の上端壁には弾性溝が設置され、前記弾性溝の後端壁には定位ロッドが回転できるように設置され、前記定位ロッドには下端が前記注入溝の中に位置している弾性ロッドが回転できるように設置され、前記定位ロッドと前記弾性ロッドとの間には弾性ばねが設置され、前記弾性ロッドの右端面には右端が外部空間に位置しているプルリングが固定的に設置され、前記練り歯磨き溝の上下端壁の中には一方向溝が対称的に設置され、上側の前記一方向溝が前記練り歯磨き溝と前記貯蔵溝とを連通しており、上側の前記一方向溝の中には阻み板がスライドできるように設置され、前記阻み板の下端面には下端が前記一方向溝の下端壁と固定的に連結される阻みばねが左右対称的に固定的に設置され、また、前記押出ブロックを押し動かしたら下側の前記阻み板を連動させて下へ運動させることができることを特徴とする請求項１に記載の歯磨きコップ。
【請求項３】
前記歯ブラシ機構はまた、前記歯磨きコップ主体の左端面と固定的に連結される取っ手を含み、前記歯磨きコップ主体の中には上に開口した水保存溝が設置され、前記歯磨きコップ主体の左端面には左に開口した歯ブラシ溝が設置され、前記歯ブラシ溝が短溝により前記長溝と連通しており、前記歯ブラシ溝の下端壁には弧状面ブロックが固定的に設置され、前記弧状面ブロックの上端面には歯ブラシ把柄部が設置され、前記歯ブラシ把柄部の下端面には短ブロックが固定的に設置され、前記歯ブラシ把柄部の上端面には弧状ブロックが固定的に設置され、前記弧状ブロックの右側には前記歯ブラシ把柄部の上端面と固定的に連結される歯ブラシヘッドが設置され、また、前記カムが回転して前記短ブロックを推し動かして左へ運動させることができることを特徴とする請求項１に記載の歯磨きコップ。
【発明の詳細な説明】
【技術分野】
【０００１】
本発明はコップ分野を取り上げて、具体的には歯磨きコップである。
【背景技術】
【０００２】
歯磨きコップは歯磨きに用いられる道具であり、しかし、現有のほとんどの歯磨きコップは機能が単一であり、且つ歯ブラシと練り歯磨きを直接に水を入れるところに置いたら、細菌が繁殖しやすく、しかも外出する時に携帯しにくく、歯ブラシと練り歯磨きをなくしやすい。
【先行技術文献】
【特許文献】
【０００３】
【特許文献１】中国特許出願公開第１０５２８６７００号明細書
【発明の概要】
【発明が解決しようとする課題】
【０００４】
本発明は歯磨きコップを提供し、上記背景技術において提出された問題を解決することを目的とする。
【課題を解決するための手段】
【０００５】
上記の目的を実現するために、本発明は以下の技術プランを提供する：歯磨きコップは、歯磨きコップ主体と押し溝を含み、前記押し溝が前記歯磨きコップ主体の中に位置しており、且つ右へ開口しており、前記押し溝の中には練り歯磨き押出機構が設置され、前記練り歯磨き押出機構は前記押し溝とスライドできるように連結される押しブロックを含み、前記押しブロックの左端面には左端が前記押し溝の左端壁と固定的に連結される押しばねが上下対称的に固定的に設置され、前記押しブロックの左端面の中心には押しロッドが固定的に設置され、前記押しロッドの下端面には細ロッドが固定的に設置され、前記押しロッドの前端面には中心ロッドが固定的に設置され、前記中心ロッドには旋転ロッドが回転できるように設置され、前記旋転ロッドと前記中心ロッドとの間には旋転ばねが設置され、前記押し溝の上端壁には方形溝が設置され、前記方形溝の左端壁の中には練り歯磨き溝が設置され、前記方形溝の左端壁には二つの横向きばねが上下対称的に固定的に設置され、二つの前記横向きばねの右側には前記横向きばねと固定的に連結される一つの横向きブロックが設置され、前記横向きブロックの左端面の中心には左端が前記練り歯磨き溝の中に位置している横向きロッドが固定的に設置され、前記横向きロッドの左端には前記練り歯磨き溝とスライドできるように連結される押出ブロックが固定的に設置され、前記押し溝の下端壁には長溝が設置され、前記長溝の中には歯ブラシ機構が設置され、前記歯ブラシ機構は前記長溝の下端壁に位置している移動溝を含み、前記移動溝の中には移動ブロックがスライドできるように設置され、前記移動ブロックの左端には左端が前記移動溝の左端壁と固定的に連結される移動ばねが固定的に設置され、前記移動ブロックの上端面には上端が前記長溝の中に位置している移動ロッドが固定的に設置され、前記移動ロッドの上端には長ロッドが固定的に設置され、前記長ロッドの左端面にはラックが固定的に設置され、前記長溝の後端壁には伝動軸が回転できるように設置され、前記伝動軸には前記ラックの下端面と噛み合って伝動するギヤが固定的に設置され、前記ギヤの前側には前記伝動軸と固定的に連結されるカムが設置され、また、前記押しブロックを押し動かしたらまず前記横向きブロックが推し動かされ、そして前記長ロッドが推し動かされて左へ運動することができる。
【０００６】
好ましくは、前記練り歯磨き押出機構はまた前記方形溝の上端壁の中に位置している貯蔵溝を含み、前記貯蔵溝の上端壁には右端壁が外部空間に連通している注入溝が設置され、前記注入溝の上端壁には弾性溝が設置され、前記弾性溝の後端壁には定位ロッドが回転できるように設置され、前記定位ロッドには下端が前記注入溝の中に位置している弾性ロッドが回転できるように設置され、前記定位ロッドと前記弾性ロッドとの間には弾性ばねが設置され、前記弾性ロッドの右端面には右端が外部空間に位置しているプルリングが固定的に設置され、前記練り歯磨き溝の上下端壁の中には一方向溝が対称的に設置され、上側の前記一方向溝が前記練り歯磨き溝と前記貯蔵溝とを連通しており、上側の前記一方向溝の中には阻み板がスライドできるように設置され、前記阻み板の下端面には下端が前記一方向溝の下端壁と固定的に連結される阻みばねが左右対称的に固定的に設置され、また、前記押出ブロックを押し動かしたら下側の前記阻み板を連動させて下へ運動させることができる。
【０００７】
好ましくは、前記歯ブラシ機構はまた、前記歯磨きコップ主体の左端面と固定的に連結される取っ手を含み、前記歯磨きコップ主体の中には上に開口した水保存溝が設置され、前記歯磨きコップ主体の左端面には左に開口した歯ブラシ溝が設置され、前記歯ブラシ溝が短溝により前記長溝と連通しており、前記歯ブラシ溝の下端壁には弧状面ブロックが固定的に設置され、前記弧状面ブロックの上端面には歯ブラシ把柄部が設置され、前記歯ブラシ把柄部の下端面には短ブロックが固定的に設置され、前記歯ブラシ把柄部の上端面には弧状ブロックが固定的に設置され、前記弧状ブロックの右側には前記歯ブラシ把柄部の上端面と固定的に連結される歯ブラシヘッドが設置され、また、前記カムが回転して前記短ブロックを推し動かして左へ運動させることができる。
【発明の効果】
【０００８】
以上により、本発明の有益効果は：この装置全体の構成が簡単で、歯磨きコップと歯ブラシと練り歯磨きとを結合し、使用が便利で、装置の中で水を入れる部分と歯ブラシと練り歯磨きとを仕切り、清潔であり、しかも歯磨きの機能という基本機能を備える上に、携帯しやすく、あまりスペースを取らなく、旅行や出張などの時に携帯することに適する。
【図面の簡単な説明】
【０００９】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１０】
【図１】図１は本発明の歯磨きコップの全体断面の正面構成模式図
【図２】図２は本発明の歯磨きコップの中の横向きロッドの拡大構成模式図
【図３】図３は本発明の歯磨きコップの中の弧状ブロックの左側面断面の拡大構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。    
【００１２】
図１〜３を参照し、本発明の実施例は：歯磨きコップであり、歯磨きコップ主体１０と押し溝５５を含み、前記押し溝５５が前記歯磨きコップ主体１０の中に位置しており、且つ右へ開口しており、前記押し溝５５の中には練り歯磨き押出機構６０が設置され、前記練り歯磨き押出機構６０は前記押し溝５５とスライドできるように連結される押しブロック２１を含み、前記押しブロック２１の左端面には左端が前記押し溝５５の左端壁と固定的に連結される押しばね５６が上下対称的に固定的に設置され、前記押しブロック２１の左端面の中心には押しロッド５４が固定的に設置され、前記押しロッド５４の下端面には細ロッド２２が固定的に設置され、前記押しロッド５４の前端面には中心ロッド５３が固定的に設置され、前記中心ロッド５３には旋転ロッド５１が回転できるように設置され、前記旋転ロッド５１と前記中心ロッド５３との間には旋転ばね５２が設置され、前記押し溝５５の上端壁には方形溝４９が設置され、前記方形溝４９の左端壁の中には練り歯磨き溝４０が設置され、前記方形溝４９の左端壁には二つの横向きばね４７が上下対称的に固定的に設置され、二つの前記横向きばね４７の右側には前記横向きばね４７と固定的に連結される一つの横向きブロック５０が設置され、前記横向きブロック５０の左端面の中心には左端が前記練り歯磨き溝４０の中に位置している横向きロッド２０が固定的に設置され、前記横向きロッド２０の左端には前記練り歯磨き溝４０とスライドできるように連結される押出ブロック４６が固定的に設置され、前記押し溝５５の下端壁には長溝３５が設置され、前記長溝３５の中には歯ブラシ機構６１が設置され、前記歯ブラシ機構６１は前記長溝３５の下端壁に位置している移動溝２４を含み、前記移動溝２４の中には移動ブロック２６がスライドできるように設置され、前記移動ブロック２６の左端には左端が前記移動溝２４の左端壁と固定的に連結される移動ばね２８が固定的に設置され、前記移動ブロック２６の上端面には上端が前記長溝３５の中に位置している移動ロッド２５が固定的に設置され、前記移動ロッド２５の上端には長ロッド５７が固定的に設置され、前記長ロッド５７の左端面にはラック３０が固定的に設置され、前記長溝３５の後端壁には伝動軸３２が回転できるように設置され、前記伝動軸３２には前記ラック３０の下端面と噛み合って伝動するギヤ３３が固定的に設置され、前記ギヤ３３の前側には前記伝動軸３２と固定的に連結されるカム３１が設置され、また、前記押しブロック２１を押し動かしたらまず前記横向きブロック５０が推し動かされ、そして前記長ロッド５７が推し動かされて左へ運動することができる。
【００１３】
有益的には、前記練り歯磨き押出機構６０はまた前記方形溝４９の上端壁の中に位置している貯蔵溝１９を含み、前記貯蔵溝１９の上端壁には右端壁が外部空間に連通している注入溝１３が設置され、前記注入溝１３の上端壁には弾性溝１４が設置され、前記弾性溝１４の後端壁には定位ロッド１６が回転できるように設置され、前記定位ロッド１６には下端が前記注入溝１３の中に位置している弾性ロッド１８が回転できるように設置され、前記定位ロッド１６と前記弾性ロッド１８との間には弾性ばね１５が設置され、前記弾性ロッド１８の右端面には右端が外部空間に位置しているプルリング１７が固定的に設置され、前記練り歯磨き溝４０の上下端壁の中には一方向溝４５が対称的に設置され、上側の前記一方向溝４５が前記練り歯磨き溝４０と前記貯蔵溝１９とを連通しており、上側の前記一方向溝４５の中には阻み板４３がスライドできるように設置され、前記阻み板４３の下端面には下端が前記一方向溝４５の下端壁と固定的に連結される阻みばね４２が左右対称的に固定的に設置され、また、前記押出ブロック４６を押し動かしたら下側の前記阻み板４３を連動させて下へ運動させることができる。
【００１４】
有益的には、前記歯ブラシ機構６１はまた、前記歯磨きコップ主体１０の左端面と固定的に連結される取っ手１１を含み、前記歯磨きコップ主体１０の中には上に開口した水保存溝１２が設置され、前記歯磨きコップ主体１０の左端面には左に開口した歯ブラシ溝３７が設置され、前記歯ブラシ溝３７が短溝３４により前記長溝３５と連通しており、前記歯ブラシ溝３７の下端壁には弧状面ブロック２９が固定的に設置され、前記弧状面ブロック２９の上端面には歯ブラシ把柄部２３が設置され、前記歯ブラシ把柄部２３の下端面には短ブロック３６が固定的に設置され、前記歯ブラシ把柄部２３の上端面には弧状ブロック３８が固定的に設置され、前記弧状ブロック３８の右側には前記歯ブラシ把柄部２３の上端面と固定的に連結される歯ブラシヘッド３９が設置され、また、前記カム３１が回転して前記短ブロック３６を推し動かして左へ運動させることができる。
【００１５】
以下、出願人は付図１−３及び上記の本出願の歯磨きコップの具体的な構成を参照して本出願の歯磨きコップの使用方法を詳しく紹介する：初期状態において、前記旋転ばね５２の弾力が前記横向きばね４７の弾力より大きい。
【００１６】
プルリング１７を引き動かし、注入溝１３の中に練り歯磨きを注入し、練り歯磨きが貯蔵溝１９の中に貯蔵され、一部の練り歯磨きが練り歯磨き溝４０の中に入り、押しブロック２１を押し動かし、旋転ロッド５１と細ロッド２２を連動させて左へ運動させ、旋転ロッド５１が横向きブロック５０を推し動かして左へ運動させ、これにより押出ブロック４６を推し動かして左へ運動させて練り歯磨き溝４０の中の練り歯磨きを下側の一方向溝４５の中から歯ブラシヘッド３９に押し出す。
【００１７】
そして、細ロッド２２が長ロッド５７を連動させて左へ運動させ、これによりラック３０を推し動かして左へ運動させ、ラック３０とギヤ３３とが噛み合って伝動することにより、カム３１を連動させて回転させ、短ブロック３６を推し動かして左へ運動させ、これにより歯ブラシ把柄部２３が歯ブラシ溝３７から外部空間に張り出し、使用者が歯ブラシ把柄部２３を取って歯磨きすることができ、歯磨きした後、歯ブラシ把柄部２３を歯ブラシ溝３７の中に入れ、弧状ブロック３８と弧状面ブロック２９の形状の結合により、歯ブラシ把柄部２３に一定の位置を保持させる。
【００１８】
本発明の有益効果は：この装置全体の構成が簡単で、歯磨きコップと歯ブラシと練り歯磨きとを結合し、使用が便利で、装置の中で水を入れる部分と歯ブラシと練り歯磨きとを仕切り、清潔であり、しかも歯磨きの機能という基本機能を備える上に、携帯しやすく、あまりスペースを取らなく、旅行や出張などの時に携帯することに適する。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175097.tif 000003
【図２】
2020175097.tif 000004
【図３】
2020175097.tif 000005
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
歯磨きコップ主体と押し溝を含み、前記押し溝が前記歯磨きコップ主体の中に位置しており、且つ右へ開口しており、前記押し溝の中には練り歯磨き押出機構が設置され、前記練り歯磨き押出機構は前記押し溝とスライドできるように連結される押しブロックを含み、前記押しブロックの左端面には左端が前記押し溝の左端壁と固定的に連結される押しばねが上下対称的に固定的に設置され、前記押しブロックの左端面の中心には押しロッドが固定的に設置され、前記押しロッドの下端面には細ロッドが固定的に設置され、前記押しロッドの前端面には中心ロッドが固定的に設置され、前記中心ロッドには旋転ロッドが回転できるように設置され、前記旋転ロッドと前記中心ロッドとの間には旋転ばねが設置され、前記押し溝の上端壁には方形溝が設置され、前記方形溝の左端壁の中には練り歯磨き溝が設置され、前記方形溝の左端壁には二つの横向きばねが上下対称的に固定的に設置され、二つの前記横向きばねの右側には前記横向きばねと固定的に連結される一つの横向きブロックが設置され、前記横向きブロックの左端面の中心には左端が前記練り歯磨き溝の中に位置している横向きロッドが固定的に設置され、前記横向きロッドの左端には前記練り歯磨き溝とスライドできるように連結される押出ブロックが固定的に設置され、前記押し溝の下端壁には長溝が設置され、前記長溝の中には歯ブラシ機構が設置され、前記歯ブラシ機構は前記長溝の下端壁に位置している移動溝を含み、前記移動溝の中には移動ブロックがスライドできるように設置され、前記移動ブロックの左端には左端が前記移動溝の左端壁と固定的に連結される移動ばねが固定的に設置され、前記移動ブロックの上端面には上端が前記長溝の中に位置している移動ロッドが固定的に設置され、前記移動ロッドの上端には長ロッドが固定的に設置され、前記長ロッドの左端面にはラックが固定的に設置され、前記長溝の後端壁には伝動軸が回転できるように設置され、前記伝動軸には前記ラックの下端面と噛み合って伝動するギヤが固定的に設置され、前記ギヤの前側には前記伝動軸と固定的に連結されるカムが設置され、また、前記押しブロックを押し動かして前記旋転ロッドと前記細ロッドとを左に動かし、前記旋転ロッドが前記横向きロッドを左に押し動かすことができ、
前記練り歯磨き押出機構はまた前記方形溝の上端壁の中に位置している貯蔵溝を含み、前記貯蔵溝の上端壁には右端壁が外部空間に連通している注入溝が設置され、前記注入溝の上端壁には弾性溝が設置され、前記弾性溝の後端壁には定位ロッドが回転できるように設置され、前記定位ロッドには下端が前記注入溝の中に位置している弾性ロッドが回転できるように設置され、前記定位ロッドと前記弾性ロッドとの間には弾性ばねが設置され、前記弾性ロッドの右端面には右端が外部空間に位置しているプルリングが固定的に設置され、前記練り歯磨き溝の上下端壁の中には一方向溝が対称的に設置され、上側の前記一方向溝が前記練り歯磨き溝と前記貯蔵溝とを連通しており、上側の前記一方向溝の中には阻み板がスライドできるように設置され、前記阻み板の下端面には下端が前記一方向溝の下端壁と固定的に連結される阻みばねが左右対称的に固定的に設置され、また、前記押出ブロックを左に押し動かし、前記練り歯磨き溝の内部の練り歯磨きを下側の前記一方向溝から前記歯ブラシヘッドに押し出すことができ、
前記歯ブラシ機構はまた、前記歯磨きコップ主体の左端面と固定的に連結される取っ手を含み、前記歯磨きコップ主体の中には上に開口した水保存溝が設置され、前記歯磨きコップ主体の左端面には左に開口した歯ブラシ溝が設置され、前記歯ブラシ溝が短溝により前記長溝と連通しており、前記歯ブラシ溝の下端壁には弧状面ブロックが固定的に設置され、前記弧状面ブロックの上端面には歯ブラシ把柄部が設置され、前記歯ブラシ把柄部の下端面には短ブロックが固定的に設置され、前記歯ブラシ把柄部の上端面には弧状ブロックが固定的に設置され、前記弧状ブロックの右側には前記歯ブラシ把柄部の上端面と固定的に連結される歯ブラシヘッドが設置され、また、前記ラックと前記ギヤとの噛合伝動により前記カムを回転連動させて前記短ブロックを左に押し動かすことで、前記歯ブラシ把柄部が前記歯ブラシ溝の外部に突出することができることを特徴とする歯磨きコップ。
【手続補正２】
【補正対象書類名】明細書
【補正対象項目名】全文
【補正方法】変更
【補正の内容】
【発明の詳細な説明】
【技術分野】
【０００１】
本発明はコップ分野を取り上げて、具体的には歯磨きコップである。
【背景技術】
【０００２】
歯磨きコップは歯磨きに用いられる道具であり、しかし、現有のほとんどの歯磨きコップは機能が単一であり、且つ歯ブラシと練り歯磨きを直接に水を入れるところに置いたら、細菌が繁殖しやすく、しかも外出する時に携帯しにくく、歯ブラシと練り歯磨きをなくしやすい。
【先行技術文献】
【特許文献】
【０００３】
【特許文献１】中国特許出願公開第１０５２８６７００号明細書
【発明の概要】
【発明が解決しようとする課題】
【０００４】
本発明は歯磨きコップを提供し、上記背景技術において提出された問題を解決することを目的とする。
【課題を解決するための手段】
【０００５】
上記の目的を実現するために、本発明は以下の技術プランを提供する：歯磨きコップは、歯磨きコップ主体と押し溝を含み、前記押し溝が前記歯磨きコップ主体の中に位置しており、且つ右へ開口しており、前記押し溝の中には練り歯磨き押出機構が設置され、前記練り歯磨き押出機構は前記押し溝とスライドできるように連結される押しブロックを含み、前記押しブロックの左端面には左端が前記押し溝の左端壁と固定的に連結される押しばねが上下対称的に固定的に設置され、前記押しブロックの左端面の中心には押しロッドが固定的に設置され、前記押しロッドの下端面には細ロッドが固定的に設置され、前記押しロッドの前端面には中心ロッドが固定的に設置され、前記中心ロッドには旋転ロッドが回転できるように設置され、前記旋転ロッドと前記中心ロッドとの間には旋転ばねが設置され、前記押し溝の上端壁には方形溝が設置され、前記方形溝の左端壁の中には練り歯磨き溝が設置され、前記方形溝の左端壁には二つの横向きばねが上下対称的に固定的に設置され、二つの前記横向きばねの右側には前記横向きばねと固定的に連結される一つの横向きブロックが設置され、前記横向きブロックの左端面の中心には左端が前記練り歯磨き溝の中に位置している横向きロッドが固定的に設置され、前記横向きロッドの左端には前記練り歯磨き溝とスライドできるように連結される押出ブロックが固定的に設置され、前記押し溝の下端壁には長溝が設置され、前記長溝の中には歯ブラシ機構が設置され、前記歯ブラシ機構は前記長溝の下端壁に位置している移動溝を含み、前記移動溝の中には移動ブロックがスライドできるように設置され、前記移動ブロックの左端には左端が前記移動溝の左端壁と固定的に連結される移動ばねが固定的に設置され、前記移動ブロックの上端面には上端が前記長溝の中に位置している移動ロッドが固定的に設置され、前記移動ロッドの上端には長ロッドが固定的に設置され、前記長ロッドの左端面にはラックが固定的に設置され、前記長溝の後端壁には伝動軸が回転できるように設置され、前記伝動軸には前記ラックの下端面と噛み合って伝動するギヤが固定的に設置され、前記ギヤの前側には前記伝動軸と固定的に連結されるカムが設置され、また、前記押しブロックを押し動かして前記旋転ロッドと前記細ロッドとを左に動かし、前記旋転ロッドが前記横向きロッドを左に押し動かすことができる。
【０００６】
好ましくは、前記練り歯磨き押出機構はまた前記方形溝の上端壁の中に位置している貯蔵溝を含み、前記貯蔵溝の上端壁には右端壁が外部空間に連通している注入溝が設置され、前記注入溝の上端壁には弾性溝が設置され、前記弾性溝の後端壁には定位ロッドが回転できるように設置され、前記定位ロッドには下端が前記注入溝の中に位置している弾性ロッドが回転できるように設置され、前記定位ロッドと前記弾性ロッドとの間には弾性ばねが設置され、前記弾性ロッドの右端面には右端が外部空間に位置しているプルリングが固定的に設置され、前記練り歯磨き溝の上下端壁の中には一方向溝が対称的に設置され、上側の前記一方向溝が前記練り歯磨き溝と前記貯蔵溝とを連通しており、上側の前記一方向溝の中には阻み板がスライドできるように設置され、前記阻み板の下端面には下端が前記一方向溝の下端壁と固定的に連結される阻みばねが左右対称的に固定的に設置され、また、前記押出ブロックを左に押し動かし、前記練り歯磨き溝の内部の練り歯磨きを下側の前記一方向溝から前記歯ブラシヘッドに押し出すことができる。
【０００７】
好ましくは、前記歯ブラシ機構はまた、前記歯磨きコップ主体の左端面と固定的に連結される取っ手を含み、前記歯磨きコップ主体の中には上に開口した水保存溝が設置され、前記歯磨きコップ主体の左端面には左に開口した歯ブラシ溝が設置され、前記歯ブラシ溝が短溝により前記長溝と連通しており、前記歯ブラシ溝の下端壁には弧状面ブロックが固定的に設置され、前記弧状面ブロックの上端面には歯ブラシ把柄部が設置され、前記歯ブラシ把柄部の下端面には短ブロックが固定的に設置され、前記歯ブラシ把柄部の上端面には弧状ブロックが固定的に設置され、前記弧状ブロックの右側には前記歯ブラシ把柄部の上端面と固定的に連結される歯ブラシヘッドが設置され、また、前記ラックと前記ギヤとの噛合伝動により前記カムを回転連動させて前記短ブロックを左に押し動かすことで、前記歯ブラシ把柄部が前記歯ブラシ溝の外部に突出することができる。
【発明の効果】
【０００８】
以上により、本発明の有益効果は：この装置全体の構成が簡単で、歯磨きコップと歯ブラシと練り歯磨きとを結合し、使用が便利で、装置の中で水を入れる部分と歯ブラシと練り歯磨きとを仕切り、清潔であり、しかも歯磨きの機能という基本機能を備える上に、携帯しやすく、あまりスペースを取らなく、旅行や出張などの時に携帯することに適する。
【図面の簡単な説明】
【０００９】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１０】
【図１】図１は本発明の歯磨きコップの全体断面の正面構成模式図
【図２】図２は本発明の歯磨きコップの中の横向きロッドの拡大構成模式図
【図３】図３は本発明の歯磨きコップの中の弧状ブロックの左側面断面の拡大構成模    式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。    
【００１２】
図１〜３を参照し、本発明の実施例は：歯磨きコップであり、歯磨きコップ主体１０と押し溝５５を含み、前記押し溝５５が前記歯磨きコップ主体１０の中に位置しており、且つ右へ開口しており、前記押し溝５５の中には練り歯磨き押出機構６０が設置され、前記練り歯磨き押出機構６０は前記押し溝５５とスライドできるように連結される押しブロック２１を含み、前記押しブロック２１の左端面には左端が前記押し溝５５の左端壁と固定的に連結される押しばね５６が上下対称的に固定的に設置され、前記押しブロック２１の左端面の中心には押しロッド５４が固定的に設置され、前記押しロッド５４の下端面には細ロッド２２が固定的に設置され、前記押しロッド５４の前端面には中心ロッド５３が固定的に設置され、前記中心ロッド５３には旋転ロッド５１が回転できるように設置され、前記旋転ロッド５１と前記中心ロッド５３との間には旋転ばね５２が設置され、前記押し溝５５の上端壁には方形溝４９が設置され、前記方形溝４９の左端壁の中には練り歯磨き溝４０が設置され、前記方形溝４９の左端壁には二つの横向きばね４７が上下対称的に固定的に設置され、二つの前記横向きばね４７の右側には前記横向きばね４７と固定的に連結される一つの横向きブロック５０が設置され、前記横向きブロック５０の左端面の中心には左端が前記練り歯磨き溝４０の中に位置している横向きロッド２０が固定的に設置され、前記横向きロッド２０の左端には前記練り歯磨き溝４０とスライドできるように連結される押出ブロック４６が固定的に設置され、前記押し溝５５の下端壁には長溝３５が設置され、前記長溝３５の中には歯ブラシ機構６１が設置され、前記歯ブラシ機構６１は前記長溝３５の下端壁に位置している移動溝２４を含み、前記移動溝２４の中には移動ブロック２６がスライドできるように設置され、前記移動ブロック２６の左端には左端が前記移動溝２４の左端壁と固定的に連結される移動ばね２８が固定的に設置され、前記移動ブロック２６の上端面には上端が前記長溝３５の中に位置している移動ロッド２５が固定的に設置され、前記移動ロッド２５の上端には長ロッド５７が固定的に設置され、前記長ロッド５７の左端面にはラック３０が固定的に設置され、前記長溝３５の後端壁には伝動軸３２が回転できるように設置され、前記伝動軸３２には前記ラック３０の下端面と噛み合って伝動するギヤ３３が固定的に設置され、前記ギヤ３３の前側には前記伝動軸３２と固定的に連結されるカム３１が設置され、また、前記押しブロック５０を押し動かして前記旋転ロッド５１と前記細ロッド２２とを左に動かし、前記旋転ロッド５１が前記横向きロッド５０を左に押し動かすことができる。
【００１３】
有益的には、前記練り歯磨き押出機構６０はまた前記方形溝４９の上端壁の中に位置している貯蔵溝１９を含み、前記貯蔵溝１９の上端壁には右端壁が外部空間に連通している注入溝１３が設置され、前記注入溝１３の上端壁には弾性溝１４が設置され、前記弾性溝１４の後端壁には定位ロッド１６が回転できるように設置され、前記定位ロッド１６には下端が前記注入溝１３の中に位置している弾性ロッド１８が回転できるように設置され、前記定位ロッド１６と前記弾性ロッド１８との間には弾性ばね１５が設置され、前記弾性ロッド１８の右端面には右端が外部空間に位置しているプルリング１７が固定的に設置され、前記練り歯磨き溝４０の上下端壁の中には一方向溝４５が対称的に設置され、上側の前記一方向溝４５が前記練り歯磨き溝４０と前記貯蔵溝１９とを連通しており、上側の前記一方向溝４５の中には阻み板４３がスライドできるように設置され、前記阻み板４３の下端面には下端が前記一方向溝４５の下端壁と固定的に連結される阻みばね４２が左右対称的に固定的に設置され、また、前記押出ブロック４６を左に押し動かし、前記練り歯磨き溝４０の内部の練り歯磨きを下側の前記一方向溝４５から前記歯ブラシヘッド３９に押し出すことができる。
【００１４】
有益的には、前記歯ブラシ機構６１はまた、前記歯磨きコップ主体１０の左端面と固定的に連結される取っ手１１を含み、前記歯磨きコップ主体１０の中には上に開口した水保存溝１２が設置され、前記歯磨きコップ主体１０の左端面には左に開口した歯ブラシ溝３７が設置され、前記歯ブラシ溝３７が短溝３４により前記長溝３５と連通しており、前記歯ブラシ溝３７の下端壁には弧状面ブロック２９が固定的に設置され、前記弧状面ブロック２９の上端面には歯ブラシ把柄部２３が設置され、前記歯ブラシ把柄部２３の下端面には短ブロック３６が固定的に設置され、前記歯ブラシ把柄部２３の上端面には弧状ブロック３８が固定的に設置され、前記弧状ブロック３８の右側には前記歯ブラシ把柄部２３の上端面と固定的に連結される歯ブラシヘッド３９が設置され、また、前記ラック３０と前記ギヤ３３との噛合伝動により前記カム３１を回転連動させて前記短ブロック３６を左に押し動かすことで、前記歯ブラシ把柄部２３が前記歯ブラシ溝３７の外部に突出することができる。
【００１５】
以下、出願人は付図１−３及び上記の本出願の歯磨きコップの具体的な構成を参照して本出願の歯磨きコップの使用方法を詳しく紹介する：初期状態において、前記旋転ばね５２の弾力が前記横向きばね４７の弾力より大きい。
【００１６】
プルリング１７を引き動かし、注入溝１３の中に練り歯磨きを注入し、練り歯磨きが貯蔵溝１９の中に貯蔵され、一部の練り歯磨きが練り歯磨き溝４０の中に入り、押しブロック２１を押し動かし、旋転ロッド５１と細ロッド２２を連動させて左へ運動させ、旋転ロッド５１が横向きブロック５０を推し動かして左へ運動させ、これにより押出ブロック４６を推し動かして左へ運動させて練り歯磨き溝４０の中の練り歯磨きを下側の一方向溝４５の中から歯ブラシヘッド３９に押し出す。
【００１７】
そして、細ロッド２２が長ロッド５７を連動させて左へ運動させ、これによりラック３０を推し動かして左へ運動させ、ラック３０とギヤ３３とが噛み合って伝動することにより、カム３１を連動させて回転させ、短ブロック３６を推し動かして左へ運動させ、これにより歯ブラシ把柄部２３が歯ブラシ溝３７から外部空間に張り出し、使用者が歯ブラシ把柄部２３を取って歯磨きすることができ、歯磨きした後、歯ブラシ把柄部２３を歯ブラシ溝３７の中に入れ、弧状ブロック３８と弧状面ブロック２９の形状の結合により、歯ブラシ把柄部２３に一定の位置を保持させる。
【００１８】
本発明の有益効果は：この装置全体の構成が簡単で、歯磨きコップと歯ブラシと練り歯磨きとを結合し、使用が便利で、装置の中で水を入れる部分と歯ブラシと練り歯磨きとを仕切り、清潔であり、しかも歯磨きの機能という基本機能を備える上に、携帯しやすく、あまりスペースを取らなく、旅行や出張などの時に携帯することに適する。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。